(57)【要約】【課題】本発明は、粘性調味料の劣化を防ぎ、簡単にすばやく少量でも安定的に注出し、容器を倒しても漏れることのない、デザイン的に優れた粘性調味料容器を提供すること。【解決手段】本発明は、容器本体１付属の底蓋５内に設けた中央歯車８や歯車９等を回転させることで、歯車９に結合した容器本体１内部の送りねじ軸１２が回転し、これに連結支持された押板１１が移動する。このことで容器本体１内のフィルム袋状容器で取替式の内容器１３に入った粘性調味料を押出し、上蓋２やキャップ３から注出させる構造で、歯車９を回転させる動力源に、手で底蓋１を回転させる手動式、モーター１６による電動式、ぜんまい２６によるぜんまい式があり、スイッチ２２が、容器本体１壁面の輪郭内に形成された粘性調味料容器。【選択図】図１
2007326637.tif 000002
【特許請求の範囲】
【請求項１】
底蓋内部に設けた複数の歯車を回転させることで、歯車に結合した容器本体内部の送りねじ軸が回転する。この送りねじ軸に連結支持された押板が移動することで、容器本体内の内容器に入った粘性調味料を押出し注出させることを特徴とする粘性調味料容器。
【請求項２】
送りねじ軸に連結支持された押板が凸形に成形されたことを特徴とする請求項１記載の粘性調味料容器。
【請求項３】
内容器は、取替式のフィルム袋状容器で、頭部に注出口と底部が凹形に成形されたことを特徴とする請求項１又は２記載の粘性調味料容器。
【請求項４】
容器本体に、粘性調味料の内容器を取替えるために、着脱可能で大きな注出口が付いた上蓋が付属された請求項１又は２・３記載の粘性調味料容器。
【請求項５】
容器本体内部に、粘性調味料の内容器が破れたりせず順調に押出されるために、ガイド板が形成された請求項１又は２〜４記載の粘性調味料容器。
【請求項６】
上蓋と着脱可能で小さい注出口が付いたキャップで、取外したキャップが留められるように凹凸状に成形された請求項１又は２〜５記載の粘性調味料容器。
【請求項７】
底蓋に、取外したキャップを留めておくことができるように凹凸状に成形したキャップ留が付いた請求項１又は２〜６記載の粘性調味料容器。
【請求項８】
容器本体内の内容器に入った粘性調味料の容量が、押板の移動位置で解る目盛窓が容器本体壁面に付いた請求項１又は２〜７記載の粘性調味料容器。
【請求項９】
底蓋内部の歯車を回転させることに、手で底蓋を回転させることを動力源とする請求項１又は２〜８記載の手動式粘性調味料容器。
【請求項１０】
底蓋内部の歯車を回転させることに、電動モーターを動力源とする請求項１又は２〜８記載の電動式粘性調味料容器。
【請求項１１】
底蓋内部の歯車を回転させることに、ぜんまいを動力源とする請求項１又は２〜８のぜんまい式粘性調味料容器。
【請求項１２】
電動式とぜんまい式の調味料容器で、モーターにより歯車を回転・逆回転させたり、又、ぜんまいにより歯車を回転させたり止めたりするためのスイッチが、容器本体壁面の輪郭内に形成された請求項１０又は１１記載の粘性調味料容器。
【請求項１３】
ぜんまい式容器で、ぜんまいを巻いたり、ぜんまいにより歯車を回転させたり、又、ぜんまいを巻かずに手動で歯車だけを回転させるための切替装置が付いた請求項１１又は１２記載の粘性調味料容器。
【発明の詳細な説明】
【技術分野】
【０００１】本発明は、容器内にある取替式の注出口付フィルム袋状内容器に入った粘性調味料を、押出し注出するための粘性調味料容器に関するものである。
【背景技術】
【０００２】マヨネーズ・ケチャップ等の粘性調味料容器は、従来から数々のものが存在していた。例えば、実用新案公開平６−７６１４４には、内容物を出し易くするために注出口を下にして安定して立てておくもの、又、特許公開２００４−１５４５０６には、容器本体に付属された弾性の中空ボールを指圧して注出を行い、後に注出口の付着調味料を容器内に戻す物などが示されている。【０００３】一方、特許公開平１１−１１３７１２には、容器の中にビニール袋を設け、それの底につまみを設けて巻き上げ注出するもの、又、実用新案公開平６−２７６８３には、容器に蛇腹部を設け内容物が少量でも注出できる粘性調味料容器が示されている。
【発明の開示】
【発明が解決しようとする課題】
【０００４】従来のように、粘性調味料の空気混入による劣化や少量での注出の難しさ、又、容器の変形による見た目の悪さ等の問題点がある。本発明は、粘性調味料の劣化を防ぎ、簡単にすばやく少量でも安定的に注出し、誤って容器を倒しても漏れることのない、デザイン的に優れた粘性調味料容器を提供すること。
【課題を解決するための手段】
【０００５】本発明は、容器本体付属の底蓋内部に設けた複数の歯車を回転させることで、歯車に結合した容器本体内部の送りねじ軸が回転し、この送りねじ軸に連結支持された押板が移動する。このことで、容器本体内の取替式の内容器に入った粘性調味料をガイド板に沿って押出し、上蓋やキャップから注出させる構造で、空気混入による粘性調味料の劣化も防ぐことができる。又、押板の移動位置で粘性調味料の容量が解るように容器本体壁面に目盛窓を設けた。【０００６】前記の取替式の内容器は、フィルム袋状容器で頭部に注出口と底部が凹形に、又、押板を凸形に成形し対応することで少量でも最後まで注出でき、使い切った粘性調味料の内容器は、容器本体と着脱可能な上蓋により、新しい内容器に取替えることができる。【０００７】一方、上蓋と着脱可能で小さい注出口が付いたキャップで、取外したキャップが留められるように、又、取外したキャップを留めておくことができるキャップ留が底蓋に、互いに凹凸状に成形することで注出中のキャップの散乱を防ぐことができる。【０００８】上記の粘性調味料容器には、底蓋内部の歯車を回転させる動力源に、手で底蓋を回転させる手動式、モーターによる電動式、ぜんまいによるぜんまい式がある。【０００９】前記の電動式とぜんまい式には、モーターにより歯車を回転・逆回転させたり、又、ぜんまいにより歯車を回転させたり止めたりするためのスイッチが、容器本体壁面の輪郭内に形成されることで注出操作がより簡単になった。一方、ぜんまい式には、ぜんまいを巻いたり、ぜんまいにより歯車を回転させたり、又、ぜんまいを巻かずに歯車だけを手動で回転させるための切替装置を付けることで操作を可能にした。
【発明の効果】
【００１０】本発明により、底蓋を回したりスイッチを押すだけの簡単操作で、マヨネーズやケチャップ等の粘性調味料を注出でき、空気混入による粘性調味料の劣化を防ぎ、少量でも安定的に注出が可能になった。又、粘性調味料内容器は取替式なので、容量が無くなればまた新しい内容器の取替えで、より新鮮な粘性調味料が提供できる。一方、誤って容器を倒しても漏れることのない、人にやさしく安全でデザイン的に優れた粘性調味料容器なので、一般家庭だけでなく食事店やレストラン等でも使用できるものになった。
【発明を実施するための最良の形態】
【００１１】本発明の粘性調味料容器は、容器本体と着脱可能な上蓋とキャップ、及び、底蓋とで構成された容器である。又、底蓋内に設けた複数の歯車と、それに結合させた容器本体内部の送りねじ軸、及び、送りねじ軸に連結支持された押板とで作動部分を構成する。この作動部分は、底蓋を回すことで、又、モーターやぜんまいによる動力源で、歯車と送りねじ軸を回転させ押板を移動させる。このことで、取替式の内容器に入った粘性調味料をガイド板に沿って押出し、上蓋やキャップの注出口から注出させる構造である。又、押板の移動位置で粘性調味料の容量が解るように容器本体壁面に目盛窓を設ける。一方、本発明には、前記のように手動式や電動式・ぜんまい式粘性調味料容器がある。【００１２】前記の取替式の内容器は、フィルム袋状容器で頭部に注出口と底部が凹形に、又、押板を凸形に成形して対応することで注出でき、着脱可能な上蓋により、取替えができる。一方、大きい注出口の付いた上蓋と着脱可能で、小さい注出口の付いたキャップを取外した後、留めておくことができるキャップ留が底蓋に、互いに凹凸状に成形して対応することで、注出中のキャップの散乱を防ぐことができる。【００１３】上記の電動式とぜんまい式には、モーターにより歯付ベルトと歯車を回転・逆回転させたり、又、ぜんまいと回転盤により歯車を回転させたり止めたりするためのスイッチを、容器本体壁面の輪郭内に形成することで注出操作がより簡単にる。一方、ぜんまい式には、ぜんまいを巻いたり、ぜんまいにより歯車を回転させたり、又、ぜんまいを巻かずに歯車だけを手動で回転させるため、切替器とスライド軸・回転歯や回転盤・中央歯車による切替装置を付けることで操作を可能にした。
【実施例１】
【００１４】図１〜４は、手動式粘性調味料容器の断面図・正面図であり、容器本体１ａと着脱可能な上蓋２とキャップ３、及び、回転可能な底蓋５ａとで構成された容器である。又、作動部分として、底蓋５ａ内に中央歯車８ａと複数の歯車９ａとを噛み合せて形成し、容器本体１ａ内に歯車９ａと結合させた送りねじ軸１２を設け、それに押板１１を連結支持させ移動できる構成とする。この押板１１の移動が取替式の内容器１３に入った粘性調味料を、容器本体１ａ内部に形成したガイド板１５に沿って押出し、上蓋２とキャップ３の注出口４から注出させる構造とする。又、押板１１の移動位置で粘性調味料の容量が解るように容器本体１ａ壁面に目盛窓１４を形成する。【００１５】前記の底蓋５ａは、手で回せるように成形して、回転歯７ａを結合させ、容器本体１ａ底部に凹状の輪に成形した溝に付属させる。又、回転歯７ａは中央歯車８ａと噛み合せて歯車９ａを回転させる構造とする。【００１６】上記の取替式の内容器１３は、フィルム袋状容器で頭部に注出口と底部を凹形に成形し、又、押板１１を凸形に成形して対応することで少量でも最後まで注出でき、上蓋２と容器本体１ａを着脱可能に形成することで、内容器１３の取替えができる。【００１７】一方、キャップ３は、大きな注出口４が成形された上蓋２と着脱できるように成形する。このキャップ３には小さい注出口４と蓋を形成し、取外したキャップ３が留められるように、又、取外したキャップ３を留めておくことができるように、キャップ留６を底蓋５ａに、互いに凹凸状に成形して対応する。このことで注出中のキャップ３の散乱を防ぐことができる。
【実施例２】
【００１８】図５〜８は、電動式粘性調味料容器の断面図・正面図であり、容器本体１ｂと着脱可能な上蓋２とキャップ３、及び、底蓋５ｂとで構成された容器である。又、作動部分として、底蓋５ｂ内にモーター１６と回転減速のためのウォームギヤ１８が、複数の歯車９ｂと歯付ベルト１７により噛み合せて形成することで、連動して回転できる。
以下、手動粘性調味料容器と同じ構造と構成である。【００１９】但し、モーター１６の電池２０入ポケットと蓋２１を、又、歯車９ｂを回転・逆回転させるためのスイッチ２２ａを、容器本体１ｂ壁面に形成する。このことで、粘性調味料の注出と押板１１の巻き戻しがスイッチ２２ａを押すだけの簡単操作でできる。一方、底蓋５ｂは回転させる必要はない。
【実施例３】
【００２０】図９〜１３は、ぜんまい式粘性調味料容器の断面図・平面図・正面図であり、容器本体１ｃと着脱可能な上蓋２とキャップ３、及び、回転可能な底蓋５ｃとで構成された容器である。又、作動部分として、底蓋５ｃ内の容器本体１ｃに台座２９を設け、ぜんまい２６をのせて端を容器本体１ｃに固定し、ぜんまい２６と芯部で接合した軸である回転盤２３を回す構造で、中央歯車８ｂと複数の歯車９ａ９ｂとを噛み合せて形成する。【００２１】図１４は、ぜんまい式粘性調味料容器の切替装置の断面図であり、底蓋５ｃに形成した切替器２４と回転盤２３、及び、回転歯７ｂが結合したスライド軸２５と中央歯車８ｂとで構成される。回転盤２３は、中心部を円柱形にくり貫き、一部を回転歯７ｂと噛み合う形状に成形する。その部分に多角形に成形したスライド軸２５が、切替器２４のねじ回転により上下に移動する。このことで、回転歯７ｂを回転盤２３や中央歯車８ｂと噛み合せたり外したりすることで、ぜんまい２６を巻いたり、ぜんまい２６により歯車９ａ９ｃを回転させたり、又、ぜんまい２６を巻かずに歯車９ａ９ｃだけを手動で回転させることができる切替装置になる。【００２２】前記の切替器２４とスライド軸２５は、互いにおねじ・めねじ状に成形し噛み合せて、切替器２４を回すことでスライド軸２５が上下する構造である。又、回転盤２３底部に回転止めの爪溝３０を成形し、容器本体１ｃに設けた回転を止めるための回転爪２８との組合わせで、回転爪２８に付属したバネやワイヤー２７で連動したスイッチ２２ｂにより作動する構造である。又、スイッチ２２ｂは、容器本体１ｃ壁面に形成する。
以下、手動粘性調味料容器と同じ構造と構成である。【００２３】本発明の粘性調味料容器の形状や大きさは任意である。又、粘性調味料容器の材料は、プラスチック等の通常のものでよい。但し、容器本体１ａ１ｂ１ｃはガラスや金属系、及び、セラミックや陶器でもよく、又、回転歯７ａ７ｂ・中央歯車８ａ８ｂ・歯車９ａ９ｂ９ｃ・ウォームギヤ１８・ガイド車１９は金属系でもよい。一方、スイッチ２２ａ２２ｂの形体は、円形や円柱形でもよく、容器本体１ｂ１ｃ壁面の輪郭内に納められる形体であればよい。
【産業上の利用可能性】
【００２４】本発明の粘性調味料容器は、工業的に量産することが可能であるため、産業上の利用可能性を有する。
【図面の簡単な説明】
【００２５】
【図１】手動式粘性調味料容器の断面図である。
【図２】手動式粘性調味料容器のＡ−Ａ線に沿った断面図である。
【図３】手動式粘性調味料容器のＢ−Ｂ線に沿った断面図である。
【図４】手動式粘性調味料容器の正面図である。
【図５】電動式粘性調味料容器の断面図である。
【図６】電動式粘性調味料容器のＣ−Ｃ線に沿った断面図である。
【図７】電動式粘性調味料容器のＤ−Ｄ線に沿った断面図である。
【図８】電動式粘性調味料容器の正面図である。
【図９】ぜんまい式粘性調味料容器の断面図である。
【図１０】ぜんまい式粘性調味料容器のＥ−Ｅ線に沿った断面図である。
【図１１】ぜんまい式粘性調味料容器のＦ−Ｆ線に沿った断面図である。
【図１２】ぜんまい式粘性調味料容器の平面図である。
【図１３】ぜんまい式粘性調味料容器の正面図である。
【図１４】ぜんまい式粘性調味料容器の切替装置の断面図である。
【符号の説明】
【００２６】１ａ・１ｂ・１ｃ  容器本体
２  上蓋
３  キャップ
４  注出口
５ａ・５ｂ・５ｃ  底蓋
６  キャップ留
７ａ・７ｂ  回転歯
８ａ・８ｂ  中央歯車
９ａ・９ｂ・９ｃ  歯車
１０  軸
１１  押板
１２  送りねじ軸
１３  内容器
１４  目盛窓
１５  ガイド板
１６  モーター
１７  歯付ベルト
１８  ウォームギヤ
１９  ガイド車
２０  電池
２１  蓋
２２ａ・２２ｂ  スイッチ
２３  回転盤
２４  切替器
２５  スライド軸
２６  ぜんまい
２７  ワイヤー
２８  回転爪
２９  台座
３０  爪溝
【図１】
2007326637.tif 000003
【図２】
2007326637.tif 000004
【図３】
2007326637.tif 000005
【図４】
2007326637.tif 000006
【図５】
2007326637.tif 000007
【図６】
2007326637.tif 000008
【図７】
2007326637.tif 000009
【図８】
2007326637.tif 000010
【図９】
2007326637.tif 000011
【図１０】
2007326637.tif 000012
【図１１】
2007326637.tif 000013
【図１２】
2007326637.tif 000014
【図１３】
2007326637.tif 000015
【図１４】
2007326637.tif 000016